(57)【要約】      （修正有）【課題】生理計測に基づいた数値を用いて客観的に複合食品のテクスチャーを評価することが可能な、複合食品のテクスチャー評価方法を提供する。【解決手段】以下の（ａ）の値を用いて評価する複合食品のテクスチャー評価方法であって、複合食品は、冷菓部分と、冷菓部分に接する他の食品部分と、から構成される、評価方法。（ａ）冷菓部分及び他の食品部分が一体となった状態で複合食品を口腔内にて押し潰したときに、舌で口蓋を押さえる際の圧力のうち、口蓋の正中線近傍部に対応する部位の各圧力と辺縁部に対応する部位の各圧力との総和である舌圧総積分値。【選択図】なし【特許請求の範囲】
【請求項１】
以下の（ａ）の値を用いて評価する複合食品のテクスチャー評価方法であって、
前記複合食品は、冷菓部分と、前記冷菓部分に接する他の食品部分と、から構成される、評価方法：
（ａ）前記冷菓部分及び前記他の食品部分が一体となった状態で前記複合食品を口腔内にて押し潰したときに、舌で口蓋を押さえる際の圧力のうち、口蓋の正中線近傍部に対応する部位の各圧力と辺縁部に対応する部位の各圧力との総和である舌圧総積分値。
【請求項２】
さらに、以下の（ｂ）及び／又は（ｃ）の値を用いて評価する、請求項１に記載の評価方法：
（ｂ）前記冷菓部分及び前記他の食品部分が一体となった状態で、前記複合食品を咀嚼したときの咀嚼関連筋活動量、
（ｃ）前記冷菓部分及び前記他の食品部分が一体となった状態で、前記複合食品を摂食したときの摂食時間。
【請求項３】
前記咀嚼関連筋は、左側咬筋、右側咬筋、及び舌骨上筋群からなる群より選ばれるいずれか一以上である、請求項２に記載の評価方法。
【請求項４】
前記他の食品は、チョコレートである、請求項１から３のいずれか一項に記載の評価方法。
【請求項５】
前記複合食品は、チョコレートにより被覆された冷菓である、請求項１から４のいずれか一項に記載の評価方法。
【請求項６】
前記請求項１から５のいずれか一項に記載の複合食品のテクスチャー評価方法を含む、複合食品の製造方法。
【発明の詳細な説明】
【技術分野】
【０００１】
本発明は、複合食品のテクスチャー評価方法に関する。より詳しくは、生理計測に基づいた数値を用いて客観的に複合食品のテクスチャーを評価することが可能な、複合食品のテクスチャー評価方法に関する。
【背景技術】
【０００２】
冷菓は、長きにわたる人気商品の一つである。近年では、冷菓と他の食品とを組み合わせた複合食品も開発され、市場性の高い製品として注目を集めている。
【０００３】
このような複合食品の一例としては、チョコレート等により被覆された冷菓が挙げられるが、同じ冷菓とチョコレート等の組み合わせによる複合食品であっても、チョコレート等が冷菓と一緒に融けるものもあれば、冷菓だけが先に融けてチョコレート等が融けないものもあり、融解状況に違いがあることが知られている。そのため、このような複合食品のテクスチャーを客観的に評価することが、製品開発の上で非常に重要となる。
【０００４】
ここで、食品開発の現場では、テクスチャーを解析する際、ヒトの官能評価に代わって機器計測を用いる場合が多い。一般的に機器計測は、官能評価に比べて客観性に優れ、測定の再現性が高く、また、官能評価に必要なパネルの教育や訓練が必要ないなどの利点がある一方で、ヒトの感覚と直接関係しない場合がある。
【０００５】
摂食過程で器官から発せられるシグナルの変化はヒトの感覚と関係し、テクスチャーの動的な変化を表す可能性があることから、テクスチャー解析に生理計測を用いる技術が提案されている。例えば、特許文献１には、嚥下音を取得する工程を含む易嚥下性組成物の評価方法が開示され、特許文献２には、筋電計及び嚥下計測計を用いる食感の生理学的評価装置が開示され、特許文献３には、口腔内にて舌から与えられる外力を測定するセンサ本体を備える口腔センサが開示され、特許文献４には、咀嚼筋の筋電位に関する情報を取得することを含む食感推定方法が開示されている。
【先行技術文献】
【特許文献】
【０００６】
【特許文献１】特開２０１１−２３４７５８号公報
【特許文献２】特開２０１２−１３９４４２号公報
【特許文献３】国際公開第２０１３／０８５０３８号パンフレット
【特許文献４】特開２０１６−０５２５１６号公報
【発明の概要】
【発明が解決しようとする課題】
【０００７】
前述の通り、従来、生理計測を用いた食品のテクスチャー評価方法は色々と開発されているものの、チョコレート等により被覆された冷菓のような、冷菓部分と、前記冷菓部分に接する他の食品部分と、から構成される複合食品において、これらが一体となった状態で摂食される際のテクスチャーを客観的に評価して、ヒトの摂食時の感覚をより合理的に理解する手法については、更なる研究が必要とされているという実情がある。
【０００８】
そこで、本技術では、生理計測に基づいた数値を用いて客観的に複合食品のテクスチャーを評価することが可能な、複合食品のテクスチャー評価方法を提供することを主目的とする。
【課題を解決するための手段】
【０００９】
本技術では、まず、以下の（ａ）の値を用いて評価する複合食品のテクスチャー評価方法であって、前記複合食品は、冷菓部分と、前記冷菓部分に接する他の食品部分と、から構成される、評価方法を提供する。
（ａ）前記冷菓部分及び前記他の食品部分が一体となった状態で前記複合食品を口腔内にて押し潰したときに、舌で口蓋を押さえる際の圧力のうち、口蓋の正中線近傍部に対応する部位の各圧力と辺縁部に対応する部位の各圧力との総和である舌圧総積分値。
また、本技術に係る評価方法において、さらに、以下の（ｂ）及び／又は（ｃ）の値を用いて評価してもよい。
（ｂ）前記冷菓部分及び前記他の食品部分が一体となった状態で、前記複合食品を咀嚼したときの咀嚼関連筋活動量、
（ｃ）前記冷菓部分及び前記他の食品部分が一体となった状態で、前記複合食品を摂食したときの摂食時間。
さらに、本技術に係る評価方法において、前記咀嚼関連筋は、左側咬筋、右側咬筋、及び舌骨上筋群からなる群より選ばれるいずれか一以上であってもよい。
加えて、本技術に係る評価方法において、前記他の食品は、チョコレートであってもよい。
また、本技術に係る評価方法において、前記複合食品は、チョコレートにより被覆された冷菓であってもよい。
【００１０】
また、本技術では、本技術に係る複合食品のテクスチャー評価方法を含む、複合食品の製造方法も提供する。
【００１１】
なお、本技術において、「複合食品のテクスチャー」とは、口腔内や咽頭内で知覚しうる複合食品の物理的な特性（例えば、弾性、粘性、凝集性、大きさ、形状等）及び知覚した上で感じる感覚（例えば、口どけ感、一体感、かたさ、やわらかさ、まとまりやすさ、ばらけやすさ、喉への負担、付着感、食べやすさ、のみこみやすさ等）をいう。
【発明の効果】
【００１２】
本技術によれば、生理計測に基づいた数値を用いて客観的に複合食品のテクスチャーを評価することが可能である。なお、ここに記載された効果は、必ずしも限定されるものではなく、本開示中に記載されたいずれかの効果であってもよい。
【図面の簡単な説明】
【００１３】
【図１】舌圧センサ１を硬口蓋に貼り付けた状態の一例を示す図面代用写真である。
【図２】Ａは、筋電位測定装置２を咬筋に貼り付けた状態の一例を示す図面代用写真であり、Ｂは、筋電位測定装置２を舌骨上筋群に貼り付けた状態の一例を示す図面代用写真である。
【図３】生理計測の波形の一例を示す波形図である。
【図４】Ａ及びＢは、摂食様式評価の結果を示す図面代用グラフである。
【図５】Ａは、メルトダウンテストスタート時の様子を示す図面代用写真であり、Ｂは、メルトダウンテスト終了時（１２０分経過後）の様子を示す図面代用写真である。
【図６】各複合食品のメルトダウンテストの結果を示す図面代用グラフである。
【図７】チョコレート部分の油脂固体脂指数曲線を示す図面代用グラフである。
【図８】舌圧総積分値及び標準化舌骨上筋群活動量をマッピングした結果を示す図面代用グラフである。
【図９】Ａは、各複合食品を５℃で６０分間放置した際の融解の様子を示す図面代用写真であり、Ｂは、各複合食品を１５℃で６０分間放置した際の融解の様子を示す図面代用写真である。
【図１０】Ａは、摂食時間の傾向に関する図面代用グラフであり、Ｂは、舌骨上筋群活動量の傾向に関する図面代用グラフであり、Ｃは、咬筋活動量の傾向に関する図面代用グラフであり、Ｄは、舌圧総積分値の傾向に関する図面代用グラフである。
【発明を実施するための形態】
【００１４】
以下、本技術を実施するための好適な形態について、図面を参照しながら説明する。なお、以下に説明する実施形態は、本技術の代表的な実施形態の一例を示したものであり、これにより本技術の範囲が狭く解釈されることはない。
【００１５】
＜複合食品のテクスチャー評価方法＞
本技術に係る複合食品のテクスチャー評価方法は、以下の（ａ）の値を用いて評価する複合食品のテクスチャー評価方法であって、前記複合食品は、冷菓部分と、前記冷菓部分に接する他の食品部分と、から構成されることを特徴とする。
（ａ）前記冷菓部分及び前記他の食品部分が一体となった状態で前記複合食品を口腔内にて押し潰したときに、舌で口蓋を押さえる際の圧力のうち、口蓋の正中線近傍部に対応する部位の各圧力と辺縁部に対応する部位の各圧力との総和である舌圧総積分値。
【００１６】
本技術を用いることにより、生理計測に基づいた数値を用いて客観的に複合食品のテクスチャーを評価することが可能であり、中でも特に、冷菓部分と、前記冷菓部分に接する他の食品部分と、から構成される複合食品において、これらが一体となった状態で摂食される際のテクスチャーを客観的に評価することができる。
【００１７】
本技術を用いて評価されるテクスチャーは特に限定されないが、複合食品を構成する冷菓部分と他の食品部分との一体的な口どけ感であることが好ましい。
【００１８】
本技術において、冷菓とは、一般的な「冷菓」に分類されるものをいい、具体的には、アイスクリーム類（アイスクリーム、アイスミルク、ラクトアイス）、氷菓、フローズンヨーグルト等を挙げることができる。
【００１９】
アイスクリーム類とは、乳及び乳製品の成分規格等に関する省令（昭和二十六年十二月二十七日厚生省令第五十二号）により、乳又はこれらを原料として製造した食品を加工し、又は主要原料としたものを凍結させたものであって乳固形分３．０％以上を含むもの（はっ酵乳を除く）をいう。アイスクリーム類は、含まれる乳固形分と乳脂肪分の量によって、アイスクリーム、アイスミルク、ラクトアイスの３つに分類される。
【００２０】
一方で、乳固形分３．０％未満のものは、前記アイスクリーム類ではなく、食品衛生法に基づく厚生省告示「食品、添加物等の規格基準」により、氷菓として規定されている。
フローズンヨーグルトは、乳及び乳製品の成分規格等に関する省令により、種類別「発酵乳」に分類され、「乳又はこれと同等以上の無脂乳固形分を含む乳等を乳酸菌又は酵母で発酵させ、糊状または液状にしたもの又はこれらを凍結したものをいう」と定められている。成分規格は、「無脂乳固形分８．０％以上、乳酸菌数又は酵母数１０００万／ｍｌ以上」と規定されている。
【００２１】
本技術において、冷菓部分は、氷菓、アイスクリーム、アイスミルク、ラクトアイス、フローズンヨーグルトのいずれか又はこれらの組み合わせから構成される部分とすることができる。
【００２２】
本技術に係る評価方法において、前記他の食品は特に限定されず、チョコレート、フルーツソース、抹茶ソース、キャラメル、クッキー、飴、モナカ、ウェハース、カステラ、マカロン、クランチ、餅、小豆又はこれらの組み合わせ等が挙げられるが、中でも特に、チョコレートであることが好ましい。後述する実施例に示すように、本技術に係る評価方法は、特に、チョコレート部分と冷菓部分とが一体となった状態で摂食される際のテクスチャー評価に適しているからである。
【００２３】
また、本技術に係る評価方法において、前記複合食品は特に限定されないが、チョコレートにより被覆された冷菓であることが好ましい。後述する実施例に示すように、本技術に係る評価方法は、特に、チョコレートにより被覆された冷菓が摂食される際のテクスチャー評価に適しているからである。具体的には、チョコレートでコーティングされたアイスクリーム（アイスクリームバーも含む）等が挙げられる。
【００２４】
一般に、「舌で口蓋を押さえる際の圧力」は「舌圧」とも称される。本明細書において、「舌で口蓋を押さえる際の圧力」を「舌圧」と表記する。本技術に係る評価方法では、上記（ａ）の値を得るために、例えば、複合食品を口腔内にて押し潰したときの口蓋の正中線近傍部に対応する部位の各圧力と辺縁部に対応する部位の各圧力の両方を測定可能な舌圧測定装置を用いることができる。
【００２５】
本技術において、前記舌圧測定装置は、特許第４５７５５１０号に記載の舌圧センサ（以下、単に「舌圧センサ」と称する）を用いることが好ましい。この舌圧センサは、複合食品の摂食時に係る舌圧を測定可能であり、口腔内にて押し潰したとき及び／又は嚥下したときの舌圧を取得することができる。また、前記舌圧センサは、複数の感圧センサを備えているため、口蓋の正中線近傍部に対応する部位の各圧力と辺縁部に対応する部位の各圧力の両方を測定可能である。
【００２６】
図１は、舌圧センサ１を硬口蓋に貼り付けた状態の一例を示す図面代用写真である。図１に示すように、舌圧センサ１は、５つの感圧センサＣｈ１〜Ｃｈ５を備えている。感圧センサＣｈ１〜Ｃｈ５は、舌圧を検知するための薄型のセンサである。感圧センサＣｈ１〜Ｃｈ５は、Ｔ字状に配置されており、これらのうち感圧センサＣｈ１〜Ｃｈ３は、口蓋の正中線近傍部に対応する部位の圧力を検知し、残りの感圧センサであるＣｈ４及びＣｈ５は、口蓋の辺縁部に対応する部位の圧力を検知する。
【００２７】
上記（ａ）中、「口蓋の正中線近傍部に対応する部位の各圧力と辺縁部に対応する部位の各圧力との総和」は、図１に示す舌圧センサ１の感圧センサＣｈ１〜Ｃｈ５のそれぞれにおいて検出された圧力の値を全て合計した値とすることができる。この値を用いることで、食塊をまとめたり、送り込んだりする際の舌の活動量を明らかにすることができる。例えば、この値が小さい複合食品は、口腔内で押し潰し、嚥下する際に必要な舌圧が低いために舌を使わなくても食べられると評価される。
【００２８】
本技術において、舌圧総積分値は、特に、複合食品の一体的な口どけ感（口どけのバランス）を示す指標として用いることができる。すなわち、例えば、舌圧総積分値が大きい複合食品は、複合食品の一体的な口どけ感が悪く、舌圧総積分値が小さい複合食品は、複合食品の一体的な口どけ感がよいと評価することができる。このように、舌圧総積分値を用いることで、特に、複合食品の一体的な口どけ感を客観的に評価することができる。
【００２９】
本技術に係る評価方法は、上記（ａ）の値に加えて、以下の（ｂ）及び／又は（ｃ）の値を用いて評価することができる。
（ｂ）前記冷菓部分及び前記他の食品部分が一体となった状態で、前記複合食品を咀嚼したときの咀嚼関連筋活動量、
（ｃ）前記冷菓部分及び前記他の食品部分が一体となった状態で、前記複合食品を摂食したときの摂食時間。
【００３０】
本技術では、上記（ｂ）の値を得るために、例えば、咀嚼関連筋の筋電位測定装置を用いることができる。なお、筋電位測定法とは、皮膚表面に電極を貼り付け、２電極間の電位差を測定することにより、筋肉の活動を観察する手法である。該手法を用いることで、非侵襲的に、自然に咀嚼する際に近い状態で測定することができる。
【００３１】
図２のＡは、筋電位測定装置２を咬筋に貼り付けた状態の一例を示す図面代用写真であり、図２のＢは、筋電位測定装置２を舌骨上筋群に貼り付けた状態の一例を示す図面代用写真である。
【００３２】
本技術では、咀嚼関連筋とは特に限定されないが、左側咬筋、右側咬筋、及び舌骨上筋群からなる群より選ばれるいずれか一以上であることが好ましい。左側咬筋及び右側咬筋は、閉口活動である咀嚼に関係する筋肉であり、舌骨上筋群は、舌の押し潰しに関係し、嚥下時にも活動する筋肉であることから、これらのいずれか一以上の筋電位測定を行うことにより、咀嚼する際の状態を的確に計測することができる。
【００３３】
また、本技術では、特に、図２に示すように、閉口活動である咀嚼に関係する右側と左側の咬筋、舌の押し潰しに関係し、嚥下時にも活動する舌骨上筋群、の計３箇所の咀嚼関連筋を測定することが好ましい。これにより、それぞれの筋肉の活動量を求め、食べ方の違いを明らかにすることができる。例えば、左側咬筋及び／又は右側咬筋のいずれかの活動量が少ないと噛みやすい食塊であり、舌骨上筋群の活動量が少ないと、咽頭に少ない力で移動され、飲み込みやすい食塊であると評価される。
【００３４】
上記（ｂ）中、「咀嚼関連筋活動量」は、左側咬筋、右側咬筋、及び舌骨上筋群からなる群より選ばれるいずれか一以上を筋電位測定した際のピーク面積とすることができる。
【００３５】
本技術では、上記（ｃ）の値を得るための方法は特に限定されない。例えば、摂食開始時刻から摂食終了時刻までをスイッチで操作し、摂食終了時刻から摂食開始時刻を引くことで、求めることができる。
【００３６】
図３は、生理計測の波形の一例を示す波形図である。生理計測したデータは、１口毎にこのような波形として現れる。この波形図を用いることで、摂食開始から摂食終了まで、舌圧や左右咬筋及び舌骨上筋群の活動量、摂食時間を記録し、解析することができる。なお、図３において記載されている「嚥下音」は、例えば、喉頭蓋に対応する位置の皮膚表面に咽頭マイクを固定し、この咽頭マイクによって嚥下音を収集することにより得られる。
【００３７】
なお、図３は、チョコレートにより被覆された冷菓を一口分摂食した際のデータであるが、該データによれば、チョコレートにより被覆された冷菓は、他の食品と比較すると摂食終了の方まで舌活動が記録され、舌が活動する時間が長いことが分かる。
【００３８】
本技術に係る評価方法において、咀嚼関連筋活動量や摂食時間は、被験者間でばらつきが生じる場合がある。このため、複数の被験者を対象とする場合、被検食品である複合食品の咀嚼筋の活動量を基準試料の咀嚼筋の活動量で除して得られる標準化咀嚼筋活動量や、被検食品である複合食品の摂食時間を基準試料の摂食時間で除して得られる標準化摂食時間を用いてテクスチャー評価を行うことが好ましい。
【００３９】
前記基準試料は、再現性や製造の容易さから、ゲル化性を有するゼラチンや食品多糖類、又はそれらを含む製剤を用いて製造される均一な食用ゲルであることが好ましく、全量を容易に口に入れることが可能な容量（重量）や形状であることが好ましい。前記基準試料に用いられるゼラチンや食品多糖類は、通常、食品又は食品添加物に用いられるものであれば特に限定されず、例えば、ゼラチン、寒天、カラギナン、ジェランガム、ペクチン、キサンタンガム、ローカストビーンガム、グアーガム、タラガム、ウェランガム、アラビアガム等が挙げられる。
【００４０】
このように、標準化咀嚼筋活動量や標準化摂食時間を用いることで、被験者毎のばらつきを補正した上でテクスチャーを評価できるため、評価の精度をより向上させることが可能である。
【００４１】
以上詳述したように、本技術に係る評価方法では、生理計測に基づいて得られる客観的な数値情報を用いるため、唾液分泌、体温、食べ方の癖などの生理的な影響も取り込みつつ客観的に複合食品のテクスチャーを評価できる。
【００４２】
＜複合食品の製造方法＞
本技術では、本技術に係る複合食品のテクスチャー評価方法を含む、複合食品の製造方法も提供する。本技術に係る複合食品の製造方法において、本技術に係る評価方法は、複合食品の設計、開発、研究、製造等を行うための一つの工程として用いることができる。そのため、本技術に係る評価方法を用いることで、複合食品を摂食した際の生理的な影響を踏まえたテクスチャーデザインを行うことが可能となる。
【００４３】
また、本技術に係る複合食品の製造方法において、本技術に係る評価方法は、複合食品の品質検査を行うために用いることができる。すなわち、テクスチャーの観点から所定の品質が確保されているかを検査することも可能となる。
【００４４】
また、本技術に係る複合食品の製造方法において、本技術に係る評価方法によって得られたテクスチャーの評価結果を食品に表示することもできる。具体的には、例えば、複合食品の包装や容器、梱包材、同梱される付属品などにテクスチャーの評価結果を表示する。このような表示は、テクスチャーを指標とした複合食品の選択において有用である。例えば、需要者が複合食品を選択する際に、該複合食品に表示されたテクスチャーの評価結果を参照して、個人の好みに合わせた複合食品を選択できる。
【実施例】
【００４５】
以下、実施例に基づいて本技術をさらに詳細に説明する。なお、以下に説明する実施例は、本技術の代表的な実施例の一例を示したものであり、これにより本技術の範囲が狭く解釈されることはない。
【００４６】
＜＜生理計測の被験者＞＞
下記試験例１〜４において、生理計測の被験者は、健常有歯顎者である平均３１．３歳の男性３名、女性１名とした。また、下記試験例６においては、生理計測の被験者は、健常有歯顎者である平均３１．５歳の男性３名、女性１名とした。
【００４７】
＜＜複合食品＞＞
以下に、下記試験例１〜６にて使用した４種類の複合食品（複合食品１〜４）について記載した。各複合食品は、いずれも、市販のチョコレートで被覆された冷菓（チョコレートでコーティングされたアイスクリーム）である。種類別や、乳脂肪分等の成分値、チョコレートコーティングの規格は、パッケージの表示部分から抜粋した。なお、チョコレートコーティングの規格は、チョコレートコーチング、準チョコレート、チョコレート、とあり、この順番でカカオ分の含量が多くなる。
【００４８】
【表１】
2019039783.tif 000002
【００４９】
＜＜舌圧測定＞＞
図１に示す状態で、厚さ０．１〜０．２ｍｍの５つの感圧センサＣｈ１〜Ｃｈ５を持つ舌圧センサ１（Swallow Scan system（ニッタ株式会社製））を被験者に装着した。下記試験例１〜４では、該被験者に−２０℃の複合食品約６ｇを４口（合計約２４ｇ：それぞれ１口づつ（約６ｇ）を自由摂食させ、それぞれの舌圧を測定）を、それぞれ全量口に含ませた後、自由摂食させたときの５つの感圧センサＣｈ１〜Ｃｈ５における舌圧を測定した。また、下記試験例６では、該被験者に、−２０℃の複合食品約６ｇを４口（合計約２４ｇ：それぞれ１口づつ（約６ｇ）を自由摂食させ、それぞれの舌圧を測定）、又は−２０℃のチョコレートにより被覆されていない冷菓（チョコレートのコーティングを剥がした状態のアイスクリーム又はラクトアイス）約５ｇを４口（合計２０ｇ：それぞれ１口づつ（約５ｇ）を自由摂食させ、それぞれの舌圧を測定）を、それぞれ全量口に含ませた後、自由摂食させたときの５つの感圧センサＣｈ１〜Ｃｈ５における舌圧を測定した。なお、舌圧測定時の摂食方法は特に指定せず、自由に咀嚼・嚥下するよう指示した。
【００５０】
次に、口腔内で複合食品を押し潰したときの「舌圧総積分値」を以下の手法で算出した。具体的には、舌圧総積分値は、センサのＣｈ１〜Ｃｈ５で検出された値を合計して得た。
【００５１】
なお、以下の試験例での「舌圧総積分値」は、生理計測の被験者４名の平均値を示している。また、以下の試験例において、「舌圧総積分値」の単位は、全て「ｋＰａ・ｓ（キロパスカル秒）」である。
【００５２】
＜＜咀嚼関連筋活動量の測定＞＞
図２に示す状態で、筋電位測定装置２（MP150WS（Biopac systems社製））を被験者に装着した。下記試験例１〜４では、該被験者に−２０℃の複合食品約６ｇを４口（合計約２４ｇ：それぞれ１口づつ（約６ｇ）を自由摂食させ、それぞれの左側咬筋、右側咬筋及び舌骨上筋群における筋電位を測定）、又は室温（２０〜２５℃）の基準試料１０ｇを、それぞれ全量口に含ませた後、自由摂食させたときの左側咬筋、右側咬筋、及び舌骨上筋群における筋電位を測定した。また、下記試験例６では、該被験者に、−２０℃の複合食品約６ｇを４口（合計約２４ｇ：それぞれ１口づつ（約６ｇ）を自由摂食させ、それぞれの左側咬筋、右側咬筋及び舌骨上筋群における筋電位を測定）、−２０℃のチョコレートにより被覆されていない冷菓（チョコレートのコーティングを剥がした状態のアイスクリーム又はラクトアイス）約５ｇを４口（合計２０ｇ：それぞれ１口づつ（約５ｇ）を自由摂食させ、それぞれの左側咬筋、右側咬筋及び舌骨上筋群における筋電位を測定）、又は室温（２０〜２５℃）の基準試料１０ｇを、それぞれ全量口に含ませた後、自由摂食させたときの左側咬筋、右側咬筋、及び舌骨上筋群における筋電位を測定した。なお、筋電位測定時の摂食方法は特に指定せず、自由に咀嚼・嚥下するよう指示した。
【００５３】
次に、咀嚼時の「左側咬筋活動量」、「右側咬筋活動量」、又は「舌骨上筋群活動量」を以下の手法で算出した。具体的には、これらの活動量は、試料の飲み始めから飲み終わりまでの筋電位シグナルの絶対値を積分して得た。なお、本実施例では、被験者毎のばらつきを補正するため、被験者毎に各複合食品で得られた活動量を基準試料の活動量で除した値である「標準化左側咬筋活動量」、「標準化右側咬筋活動量」、又は「標準化舌骨上筋群活動量」を用いた。具体的には、筋電位測定時の基準用に調整したゲル（ジェランガムを主剤としたゲル）を標準として計算した。
標準化左側咬筋活動量＝複合食品の左側咬筋活動量／基準試料の左側咬筋活動量
標準化右側咬筋活動量＝複合食品の右側咬筋活動量／基準試料の右側咬筋活動量
標準化舌骨上筋群活動量＝複合食品の舌骨上筋群活動量／基準試料の舌骨上筋群活動量
【００５４】
また、「咬筋活動量」は、前述した「左側咬筋活動量」及び「右側咬筋活動量」の平均であり、本実施例では、被験者毎のばらつきを補正するため、「咬筋活動量」についても、被験者毎に各複合食品で得られた活動量を基準試料の活動量で除した値である「標準化咬筋活動量」を用いた。
【００５５】
なお、以下の試験例での「標準化咬筋活動量」及び「標準化舌骨上筋活動量」は、生理計測の被験者４名の平均値を示している。また、以下の試験例において、「標準化咬筋活動量」及び「標準化舌骨上筋活動量」の単位は、全て「Ｖ／Ｖ（ボルト／ボルト）」である。
【００５６】
＜＜摂食時間の測定＞＞
下記試験例１〜４では、該被験者に−２０℃の複合食品約６ｇを４口（合計約２４ｇ：それぞれ１口づつ（約６ｇ）を自由摂食させ、それぞれの摂食時間を測定）、又は室温（２０〜２５℃）の基準試料１０ｇを、それぞれ全量口に含ませた後、自由摂食させたときの摂食時間を測定した。また、下記試験例６では、該被験者に、−２０℃の複合食品約６ｇを４口（合計約２４ｇ：それぞれ１口づつ（約６ｇ）を自由摂食させ、それぞれの摂食時間を測定）、−２０℃のチョコレートにより被覆されていない冷菓（チョコレートのコーティングを剥がした状態のアイスクリーム又はラクトアイス）約５ｇを４口（合計２０ｇ：それぞれ１口づつ（約５ｇ）を自由摂食させ、それぞれの摂食時間を測定）、又は室温（２０〜２５℃）の基準試料１０ｇを、それぞれ全量口に含ませた後、自由摂食させたときの摂食時間を測定した。なお、摂食時間測定時の摂食方法は特に指定せず、自由に咀嚼・嚥下するよう指示した。
【００５７】
次に、摂食時の「摂食時間」を以下の手法で算出した。具体的には、舌圧又は筋電位シグナルの最初のシグナルが発生した瞬間を０（ゼロ）としたときの最後の嚥下時におけるシグナルが消失した瞬間の相対時間とした。すなわち、「最後の嚥下時におけるシグナルが消失した瞬間の絶対時間」から「舌圧または筋電位シグナルの最初のシグナルが発生した瞬間の絶対時間を差し引いた値」を摂食時間とした。舌圧と筋電位を同時測定する場合は、最も早期に発生したシグナルと最も終期に消失したシグナルを用いて摂食時間を算出した。なお、本実施例では、被験者毎のばらつきを補正するため、被験者毎に各複合食品で得られた摂食時間を基準試料の摂食時間で除した値である「標準化摂食時間」を用いた。具体的には、前述した筋電位測定時の基準用に調整したゲル（ジェランガムを主剤としたゲル）を標準として計算した。
標準化摂食時間＝複合食品の摂食時間／基準試料の摂食時間
【００５８】
なお、以下の試験例での「摂食時間」は、生理計測の被験者４名の平均値を示している。また、以下の試験例において、「摂食時間」の単位は、全て「ｓ／ｓ（秒／秒）」である。
【００５９】
＜＜試験例１＞＞
本試験例１では、生理計測から得られたデータをマッピングし、摂食様式評価（テクスチャーマップ）を実施した。
【００６０】
［試験方法］
横軸に舌圧総積分値を、縦軸に標準化摂食時間又は標準化咬筋活動量をとり、マッピングした。
【００６１】
［試験結果］
図４のＡは、摂食様式評価の結果を示す図面代用グラフであり、横軸が舌圧総積分値、縦軸が標準化摂食時間を示している。また、図４のＢも、摂食様式評価の結果を示す図面代用グラフであり、横軸が舌圧総積分値、縦軸が標準化咬筋活動量を示している。
【００６２】
［考察］
図４のＡにおいて、左下に位置している複合食品ほど、標準化摂食時間が短く、舌活動量が少なくても摂食できることが分かる。そのため、チョコレート部分とアイス部分が一体となった食塊が融解しやすく、飲み込みやすいと考えられる。また、図４のＢにおいて、左下に位置している複合食品ほど、咀嚼力と舌の活動量が少なくても摂食できる。
【００６３】
＜＜試験例２＞＞
本試験例２では、生理計測と物性評価に相関があるのかを確認した。具体的には、複合食品１〜４を用い、冷菓部分、チョコレート部分の口どけに関係するそれぞれの融解速度との相関を確認した。
【００６４】
＜試験例２−１＞
［試験方法］
まず、複合食品１〜４から、チョコレートコーティングを剥がし、冷菓部分を、−２５℃に１２時間以上放置して温度調整をした。その後、室温２３℃、湿度７７％ＲＨにて、１分毎の融解量を測定し、冷菓部分のメルトダウンテストを行った。
【００６５】
［試験結果］
図５のＡは、各複合食品のメルトダウンテストスタート時の様子を示す図面代用写真であり、図５のＢは、メルトダウンテスト終了時（１２０分経過後）の様子を示す図面代用写真である。また、図６は、メルトダウンテストの結果を示す図面代用グラフであり、横軸が時間、縦軸が融けやすさを示している。したがって、図６において、グラフのラインが低ければ低いほど、冷菓部分が融けにくいことを示している。この結果から、時間当たりの融解率を、冷菓部分の融解速度（％／ｍｉｎ）とした。具体的には、一番早く融解が始まる１５分後から、一番早く融解が終了する６０分後までの、１分当たりの融解率を冷菓部分の融解速度（％／ｍｉｎ）とした。
【００６６】
＜試験例２−２＞
［試験方法］
まず、製品であるチョコレートで被覆された冷菓から、チョコレートコーティングを剥がし、チョコレート部分を、示差走査熱量計（DSC-60Plus；島津製作所製）を用いて測定し、融解熱量を計算してデータを解析し、油脂固体脂指数曲線を作成した。
【００６７】
［試験結果］
図７は、チョコレート部分の油脂固体脂指数曲線を示す図面代用グラフであり、横軸が温度、縦軸が油脂固体指数を示している。すなわち、このグラフは、温度が上昇するにつれて、油脂がどのように融けていくかを表しており、図７において、グラフのラインが低ければ低いほど、チョコレート部分が融けやすいことを示している。この結果から、温度当たりの固体指数変化率をチョコレート部分の融解速度（％／℃）とした。具体的には、油脂固体指数曲線から、摂食する前の温度である−２０℃から、冷菓部分が完全に融けている１０℃までに温度が上昇する際のチョコレート中の油脂量の変化率をチョコレート部分の融解速度（％／℃）とした。
【００６８】
＜試験例２−３＞
［試験方法］
上記試験例２−１及び２−２の結果と、生理計測を用い、生理計測と物性評価の相関を確認した。具体的には、生理計測と物性評価の相関係数を算出した。
【００６９】
［試験結果］
試験結果を、下記表２に示す。
【００７０】
【表２】
2019039783.tif 000003
【００７１】
［考察］
生理計測と冷菓部分の融解速度とは、相関が低いことが分かった。また、生理計測とチョコレート部分の融解速度には相関があり、チョコレート部分が融けやすいと標準化摂食時間が短くなり、標準化咀嚼関連筋活動量や舌圧総積分値が減少することが分かった。
【００７２】
＜＜試験例３＞＞
本試験例３では、生理計測と官能評価に相関があるのかを確認した。
【００７３】
［試験方法］
専門パネラー１２名が、以下の６項目について採点法（１〜５点）にて評価した。なお、点数が高いほど、味が強く感じられる、口どけが速い、又はバランスがよいと評価した。その後、生理計測と官能評価の相関係数を算出した。
【００７４】
［評価項目とその定義］
・チョコレート部分の味の強さ：食べ始めから飲み込むまでに感じるチョコレート部分の味の強さ
・冷菓部分の味の強さ：食べ始めから飲み込むまでに感じる冷菓部分（バニラアイスクリーム）の味の強さ
・チョコレート部分と冷菓部分との味の強さのバランス：食べ始めから飲み込むまでにチョコレート部分と冷菓部分との味の強さの偏りの程度
・チョコレート部分の口どけ：口腔内で融けるチョコレート部分の口どけの速さ
・冷菓部分の口どけ：口腔内で融ける冷菓部分の口どけの速さ
・チョコレート部分と冷菓部分との口どけのバランス：口腔内で融けるチョコレート部分と冷菓部分との口どけの速さの偏りの程度
【００７５】
［試験結果］
試験結果を、下記表３及び４に示す。
【００７６】
【表３】
2019039783.tif 000004
【００７７】
【表４】
2019039783.tif 000005
【００７８】
［考察］
標準化摂食時間及び標準化咀嚼関連筋活動量は、冷菓部分の口どけと高い相関があり、口どけがよいと標準化摂食時間が長くなり、標準化咀嚼関連筋活動量の増加することが分かった。また、舌圧総積分値は、チョコレート部分の口どけ、チョコレート部分と冷菓部分との味の強さのバランス、及びチョコレート部分と冷菓部分との口どけのバランス、と高い相関があり、チョコレート部分の口どけがよいと舌活動量は減少し、チョコレート部分と冷菓部分との味の強さのバランス、及びチョコレート部分と冷菓部分との口どけのバランスがよい場合も、舌活動量が減少することが分かった。
【００７９】
チョコレート部分の口どけと冷菓部分の口どけで相関が逆になっている理由として、チョコレートで被覆された冷菓の場合、冷菓部分の口どけが速いとチョコレート部分だけが残ってしまい、結果として摂食時間が長くなり、標準化咀嚼関連筋活動量も増加することが考えられる。
【００８０】
以上のことから、上記試験例２の結果も鑑み、生理計測との相関は、物性評価より官能評価の方が高くなり、重要な指標であることが示唆された。
【００８１】
なお、本試験例３は専門パネラー１２名による結果であるが、本願発明者は、別の試験にて、５９名の一般評価者の官能評価においても相関値に少し差があるものの、同様の傾向が見られることも確認した。
【００８２】
＜＜試験例４＞＞
本試験例４では、摂食様式評価と官能評価の考察を実施した。
【００８３】
［試験方法］
官能評価と相関が高かった、舌圧総積分値及び標準化舌骨上筋群活動量をマッピングした。
【００８４】
［試験結果］
図８は、舌圧総積分値及び標準化舌骨上筋群活動量をマッピングした結果を示す図面代用グラフである。
【００８５】
［考察］
横軸の舌圧総積分値と、チョコレート部分の口どけは、正の高い相関があり、左にいくほど融けやすいチョコレートコーティングになる。また、縦軸の標準化舌骨上筋群活動量と、冷菓部分の口どけは、負の相関があり、舌にいくほど融けにくいアイスとなる。すなわち、チョコレートコーティングが融けやすく、冷菓部分が融けにくい製品が左下に位置することとなる。
【００８６】
チョコレートコーティングが融けやすく、冷菓部分が融けにくい製品は、舌圧総積分値が低いため、舌の活動量が少なくても摂食可能である。また、標準化舌骨上筋群活動量も低いため、咽頭に少ない力で移動しやすく、まとまった食塊を形成しているといえる。つまり、チョコレート部分と冷菓部分の融解速度を揃えた製品は、チョコレート部分と冷菓部分とが一体となり、まとまった食塊となって、一緒に融解しながら、摂食されていると考えられる。
【００８７】
また、横軸の舌圧総積分値は、チョコレート部分と冷菓部分との口どけのバランスと、負の高い相関にあり、左にいくほどバランスがよくなっている。これは、チョコレート部分と冷菓部分とが一体になり、まとまって一緒に融解するため、このような結果になっていることが示唆される。
【００８８】
＜＜試験例５＞＞
本試験例５では、口腔内でのチョコレート部分と冷菓部分との一体感を確認するため、それぞれの部分の融解の様子を確認した。
【００８９】
［試験方法］
生理計測１口分（約６ｇ）の複合食品１〜４をカットし、５℃又は１５℃で６０分間放置して、融解の様子を観察した。
【００９０】
［試験結果］
図９のＡは、各複合食品を５℃で６０分間放置した際の融解の様子を示す図面代用写真であり、図９のＢは、各複合食品を１５℃で６０分間放置した際の融解の様子を示す図面代用写真である。
【００９１】
［考察］
上記試験例４の図８で、左端に位置していた複合食品１は、チョコレート部分が融解しやすく、冷菓部分とチョコレート部分全体とが一緒に融解していくことが確認された。そのため、上記試験例４では、チョコレート部分と冷菓部分とが一体となり、口腔内で一緒に融解していくことが示唆される結果が得られたと考えられる。
【００９２】
なお、別の試験にて、チョコレートにより被覆された冷菓を摂食した際に、口腔内温度は２１〜２７℃の範囲に下がることを確認した。
【００９３】
＜＜試験例６＞＞
本試験例６では、複合食品１〜４、及びチョコレートにより被覆されていない冷菓（チョコレートのコーティングを剥がした状態のアイスクリーム又はラクトアイス１〜４）の生理計測を、それぞれ実施し、チョコレートによる被覆がある場合とない場合との生理計測結果を比較した。
【００９４】
［試験方法］
横軸に複合食品１〜４、又はチョコレートのコーティングを剥がした状態のアイスクリーム又はラクトアイス１〜４、縦軸に標準化摂食時間、標準化舌骨上筋群活動量、標準化咬筋活動量、又は舌圧総積分値をとり、両者の生理計測結果の傾向に差があるのかを確認した。
【００９５】
［試験結果］
以下の表５に、複合食品１〜４の生理計測結果を示す。
【００９６】
【表５】
2019039783.tif 000006
【００９７】
また、以下の表６に、チョコレートのコーティングを剥がした状態のアイスクリーム又はラクトアイス１〜４の生理計測結果を示す。
【００９８】
【表６】
2019039783.tif 000007
【００９９】
更に、上記表５及び６の結果から、チョコレートによる被覆がある場合とない場合との生理計測結果をまとめたものを表７に示す。
【０１００】
【表７】
2019039783.tif 000008
【０１０１】
なお、図１０は、上記表７をグラフ化したものであり、図１０のＡは、摂食時間の傾向に関する図面代用グラフであり、黒色のバーが複合食品１〜４、白色のバーがチョコレートのコーティングを剥がした状態のアイスクリーム又はラクトアイス１〜４を示しており、縦軸が標準化摂食時間を示している。また、図１０のＢは、舌骨上筋群活動量の傾向に関する図面代用グラフであり、横軸においてはＡと同様であり、縦軸が標準化舌骨上筋群活動量を示している。さらに、図１０のＣは、咬筋活動量の傾向に関する図面代用グラフであり、横軸においてはＡと同様であり、縦軸が標準化咬筋活動量を示している。加えて、図１０のＤは、舌圧総積分値の傾向に関する図面代用グラフであり、横軸においてはＡと同様であり、縦軸が舌圧総積分値を示している。
【０１０２】
［考察］
複合食品１の、摂食時間、舌骨上筋群活動量、咬筋活動量、及び舌圧総積分値が、４つの複合食品の中で、最も値が小さく、チョコレートのコーティングを剥がした状態のアイスクリーム又はラクトアイス１の、摂食時間、舌骨上筋群活動量、咬筋活動量、及び舌圧総積分値が、４つのチョコレートのコーティングを剥がした状態のアイスクリーム又はラクトアイスの中で、最も値が大きい傾向が見られた。したがって、複合食品１は、チョコレートによる被覆がある場合と無い場合との生理計測結果の差が、４つの複合食品の中で最も小さい傾向が見られることが分かった。このことから、両者の差が少ない方が、チョコレート部分と冷菓部分とが一体的に摂食されていることが示唆された。
【０１０３】
＜＜まとめ＞＞
上記試験例１〜６の結果から、生理計測は、チョコレートにより被覆された冷菓等の複合食品の官能評価と非常に高い相関があり、チョコレート等の他の食品部分と冷菓部分とを一つのまとまった食塊として評価することができることが分かった。そのため、本発明に係る評価方法は、これまでに曖昧に表現されてきたヒトの摂食時の感覚をより合理的に理解するために有益な手法となることが示唆された。
【０１０４】
また、生理計測は、チョコレート等の他の食品部分と冷菓部分との一体的な口どけ感といった数値を定量化できる可能性が示唆され、本発明に係る評価方法は、新規性かつ優位性のある評価方法であると考えられる。そのため、チョコレートにより被覆された冷菓等の複合食品の合理的なテクスチャーデザイン立案にも応用できる可能性も示唆された。
【符号の説明】
【０１０５】
１：舌圧センサ
２：筋電位測定装置
【図１】
2019039783.tif 000009
【図２】
2019039783.tif 000010
【図３】
2019039783.tif 000011
【図４】
2019039783.tif 000012
【図５】
2019039783.tif 000013
【図６】
2019039783.tif 000014
【図７】
2019039783.tif 000015
【図８】
2019039783.tif 000016
【図９】
2019039783.tif 000017
【図１０】
2019039783.tif 000018